【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
無線通信システムの端末（ＵＥ）におけるランダムアクセスを実行する方法であって、
基地局（ｅＮＢ）から複数のコンポーネントキャリア（ＣＣ）を含むＣＣ集合情報を受信するステップと、
前記基地局から前記受信されたＣＣ集合情報内のＣＣのシステム情報（ＳＩ）を含むＲＲＣ（Radio Resource Control）メッセージを受信するステップであって、前記ＳＩは前記基地局が前記端末のために所定のランダムアクセスプリアンブル（ＲＡＰ）を割り当てる情報、または前記端末に特定の時間／周波数資源割当情報を含む、ＲＲＣメッセージを受信するステップと、
前記ＣＣの時間調整の値（ＴＡＶ）を確保するための前記ＲＡＰを設定するステップと、
前記資源割当情報に対応する資源を用いて前記ＲＡＰを前記基地局に転送するステップと、
前記基地局からアップリンクタイミンググループ情報及び前記アップリンクタイミンググループ内の代表ＣＣに関する情報を受信するステップと、
前記代表ＣＣを通じてアップリンクタイミングを獲得するための時間調整の値を受信するステップと、
前記受信した時間調整の値を用いて前記アップリンクタイミンググループの時間調整の値をアップデートするステップと、
を含むことを特徴とする方法。
【請求項２】
追加または削除されるＣＣが存在するか否かを確認するステップと、
前記確認されたＣＣに基づいて前記アップリンクタイミンググループを再設定するステップと、
を含むことを特徴とする、請求項１に記載の方法。
【請求項３】
前記時間調整の値を受信するステップは、
前記基地局から転送される前記アップリンクタイミングを獲得するための時間調整の値を含むランダムアクセス応答メッセージを受信して獲得することを特徴とする、請求項１に記載の方法。
【請求項４】
前記時間調整の値をアップデートするための条件が発生することを感知するステップをさらに含み、
前記時間調整の値をアップデートするための条件は、
ダウンリンクＣＣに対して同期再設定を要求する場合、アップリンクデータの転送を初期化する場合、端末専用時間調整タイマー（Time Alignment timer）が満了する場合、およびアップリンクタイミンググループ毎に設定された時間調整タイマーが満了する場合のうち、少なくとも１つに該当するものであることを特徴とする、請求項１に記載の方法。
【請求項５】
前記時間調整の値を受信するステップは、
前記端末によりアップリンクタイミンググループが解除されたＣＣを通じて前記ＲＡＰを転送する、または特定アップリンクタイミンググループ内で有効性を確保していない特定ＣＣを通じて前記ＲＡＰを転送するステップをさらに含むことを特徴とする、請求項１に記載の方法。
【請求項６】
前記アップリンクタイミンググループを再設定するステップは、
任意のアップリンクＣＣに対してアップリンク転送データに対する応答がない場合、一部ＣＣに対してダウンリンク同期再設定が要求される場合、各ＣＣに対して設定された時間調整タイマー（Time Alignment timer）が満了した場合、またはダウンリンク／アップリンク接続設定が変更される場合をさらに考慮して実行されることを特徴とする、請求項２に記載の方法。
【請求項７】
前記代表ＣＣに関する情報を受信するステップは、
アップリンクタイミンググループ内の主サービングセル（Ｐｃｅｌｌ）に対応するＣＣに設定された前記代表ＣＣに関する情報を受信するステップをさらに含むことを特徴とする、請求項１に記載の方法。
【請求項８】
無線通信システムの端末（ＵＥ）におけるランダムアクセスを実行する装置であって、
基地局（ｅＮＢ）から複数のコンポーネントキャリア（ＣＣ）を含むＣＣ集合情報を受信し、
前記受信されたＣＣ集合情報内のＣＣのシステム情報（ＳＩ）を含むＲＲＣメッセージを受信し、前記ＳＩは前記基地局が前記端末のために所定のランダムアクセスプリアンブル（ＲＡＰ）を割り当てる情報、または前記端末に特定の時間／周波数資源割当情報を含む受信部と、
前記ＣＣのＴＡ値を確保するための前記ＲＡＰを設定し、前記資源割当情報に対応する資源を用いて前記ＲＡＰを前記基地局に転送するＲＡＰ転送部と、
基地局からアップリンクタイミンググループ情報及び前記アップリンクタイミンググループ内の代表ＣＣに関する情報を受信するアップリンクタイミンググループ情報受信部と、
前記代表ＣＣを通じてアップリンクタイミングを獲得するための時間調整の値を受信する時間調整値獲得部と、
前記受信した時間調整の値を用いて前記アップリンクタイミンググループの時間調整の値をアップデートする時間調整値アップデート部と、
を含むことを特徴とする、端末装置。
【請求項９】
追加または削除されるＣＣが存在するか否かを確認する確認部と、
前記確認されたＣＣに基づいて前記アップリンクタイミンググループを再設定するタイミンググループ再設定部と、
を含むことを特徴とする、請求項８に記載の端末装置。
【請求項１０】
前記時間調整値獲得部は、
前記基地局から転送される前記アップリンクタイミングを獲得するための時間調整の値を含むランダムアクセス応答メッセージを受信することを特徴とする、請求項８に記載の端末装置。
【請求項１１】
前記時間調整の値をアップデートするための条件が発生することを感知する条件感知部をさらに含み、
前記時間調整の値をアップデートするための条件は、
ダウンリンクＣＣに対して同期再設定を要求する場合、アップリンクデータの転送を初期化する場合、端末専用時間調整タイマー（Time Alignment timer）が満了する場合、およびアップリンクタイミンググループ毎に設定された時間調整タイマーが満了する場合のうち、少なくとも１つに該当するものであることを特徴とする、請求項８に記載の端末装置。
【請求項１２】
前記時間調整値獲得部は、
前記端末によりアップリンクタイミンググループが解除されたＣＣを通じて前記ＲＡＰを転送する、または特定アップリンクタイミンググループ内で有効性を確保していない特定ＣＣを通じて前記ＲＡＰを転送することを特徴とする、請求項８に記載の端末装置。
【請求項１３】
前記タイミンググループ再設定部は、
任意のアップリンクＣＣに対してアップリンク転送データに対する応答がない場合、一部ＣＣに対してダウンリンク同期再設定が要求される場合、各ＣＣに対して設定された時間調整タイマー（Time Alignment timer）が満了した場合、またはダウンリンク／アップリンク接続設定が変更される場合をさらに考慮して前記アップリンクタイミンググループを再設定することを特徴とする、請求項９に記載の端末装置。
【請求項１４】
前記アップリンクタイミンググループ情報受信部は、
アップリンクタイミンググループ内の主サービングセル（Ｐｃｅｌｌ）に対応するＣＣに設定された前記代表ＣＣに関する情報を受信することを特徴とする、請求項８に記載の端末装置。
【請求項１５】
無線通信システムの基地局におけるランダムアクセスを実行する方法であって、
複数のコンポーネントキャリア（ＣＣ）を含むＣＣ集合情報を端末に転送するステップと、
前記ＣＣのシステム情報（ＳＩ）を含むＲＲＣ（Radio Resource Control）メッセージを前記端末に転送するステップであって、前記ＳＩは前記端末のために所定のランダムアクセスプリアンブル（ＲＡＰ）を割り当てる情報、または前記端末に特定の時間／周波数資源割当情報を含むことを特徴とする、ＲＲＣメッセージを転送するステップと、
前記端末から前記資源割当情報に対応する資源を通じてランダムアクセスプリアンブル（ＲＡＰ）を受信するステップと、
前記ＲＡＰを基準にアップリンクタイミンググループを設定し、前記設定したアップリンクタイミンググループ内の１つのＣＣを代表ＣＣに設定するステップと、
前記設定されたアップリンクタイミンググループ情報及び代表ＣＣに関する情報を端末に転送するステップと、
前記アップリンクタイミンググループ及び前記代表ＣＣに従って時間調整（ＴＡ）の値を算出して転送するステップと、
を含む方法。
【請求項１６】
無線通信システムにおけるランダムアクセスを実行する基地局装置であって、
複数のコンポーネントキャリア（ＣＣ）を含むＣＣ集合情報を端末に転送し、前記ＣＣのシステム情報（ＳＩ）を含むＲＲＣメッセージを前記端末に転送し、前記ＳＩは前記端末のために所定のＲＡＰを割り当てる情報、または前記端末に特定の時間／周波数資源割当情報を含むことを特徴とするＣＣセット設定部と、
前記端末から前記資源割当情報に対応する資源を通じてランダムアクセスプリアンブル（ＲＡＰ）を受信するＲＡＰ受信部と、
前記ＲＡＰを基準にアップリンクタイミンググループを設定し、前記設定したアップリンクタイミンググループ内の１つのＣＣを代表ＣＣに設定するアップリンクタイミンググループ設定部と、
前記設定されたアップリンクタイミンググループと代表ＣＣに関する情報を端末に転送する送信部と、
前記アップリンクタイミンググループ及び代表ＣＣに従って時間調整（ＴＡ）の値を算出するＴＡ値生成部と、
前記生成されたＴＡ値を転送する送受信部と、
を含むことを特徴とする、基地局装置。